(57)【要約】【課題】  記録媒体に可視トナー像と共に形成される不可視トナー像の画質を向上することを目的とする。【解決手段】  プリンタ１０では、ｉトナーによって中間転写ベルト１４に不可視のトナー像を形成するプリントエンジン１２ｉが、ＹＭＣＫトナーによって中間転写ベルト１４に可視のトナー像を形成するプリントエンジン１２Ｙ、１２Ｍ、１２Ｃ、１２Ｋよりも、中間転写ベルト１４の回転方向の上流側に配設されており、中間転写ベルト１４の最下層にｉトナー像が形成される。【選択図】  図１
2006267707.tif 000002
【特許請求の範囲】
【請求項１】
トナー像形成媒体の移動方向に沿って配列された複数のトナー像形成手段によって、可視光下で可視化される可視トナー像と、可視光下で不可視且つ可視光以外の特定波長光下で可視化される不可視トナー像が、前記トナー像形成媒体に形成される画像形成装置であって、
複数の前記トナー像形成手段は、前記トナー像形成媒体に、前記不可視トナー像を形成した後に前記可視トナー像を形成することを特徴とする画像形成装置。
【請求項２】
複数の前記トナー像形成手段は、前記トナー像形成媒体に、前記不可視トナー像を形成した上に前記可視トナー像を重ねて形成することを特徴とする請求項１に記載の画像形成装置。
【請求項３】
前記不可視トナー像を前記トナー像形成媒体に形成するトナー像形成手段が、前記可視トナー像を前記トナー像形成媒体に形成するトナー像形成手段より、前記トナー像形成媒体の移動方向の上流側に配設されたことを特徴とする請求項１又は２に記載の画像形成装置。
【請求項４】
前記トナー像形成手段が、前記可視トナー像又は前記不可視トナー像を担持して前記トナー像形成媒体に転写する像担持体を有することを特徴とする請求項１乃至３の何れか１項に記載の画像形成装置。
【請求項５】
前記不可視トナー像が赤外線吸収性を有し、前記可視トナー像が赤外線吸収性を有しないことを特徴とする請求項１乃至４の何れか１項に記載の画像形成装置。
【発明の詳細な説明】
【技術分野】
【０００１】
本発明は、可視光下で可視化される可視トナー像と、可視光下で不可視且つ可視光以外の特定波長下で可視化される不可視トナー像を記録媒体に形成する画像形成装置に関する。
【背景技術】
【０００２】
従来から、可視トナー像の他に、赤外線吸収性を有し可視光下では不可視でありながら赤外光下では可視化される不可視トナー像を、記録媒体に形成する画像形成装置が考案されている（例えば、特許文献１乃至３参照）。この画像形成装置では、赤外線吸収材料を含む透明トナー（所謂ｉトナー）によって、有価証券等の偽造の防止や抑止、証明書等の原本性保証等を目的としたセキュリティ情報や、印刷物の付加価値向上を目的とした座標情報等を記録媒体に書き込んでいる。そして、記録媒体に書き込まれた不可視トナー像を赤外線センサによって読取り最情報化することによって上記目的が達成されている。
【０００３】
ここで、不可視トナー像の画質に乱れがあると不可視トナー像で示された情報を最情報化することができず、セキュリティ機能や座標機能等が果たされないので、不可視トナー像は、可視トナー像以上に精密に形成する必要がある。
【０００４】
しかしながら、トナー像を中間転写体や感光体等の像担持体に多重転写するカラープリンタにおいて、ｉトナーをイエロー、マゼンタ、シアン、ブラック等の他のトナー上に重ねて転写した場合に、ｉトナーが他のトナーの周囲に飛散したり、ｉトナーの転写不良が発生したりすることで、ｉトナーで形成した不可視トナー像を最情報化することができないという問題があった。
【特許文献１】特開２００４−１２８８０号公報
【特許文献２】特開２００３−１８６２３８号公報
【特許文献３】特開２００２−２４０３８７号公報
【発明の開示】
【発明が解決しようとする課題】
【０００５】
本発明は上記事実を考慮してなされたものであり、記録媒体に可視トナー像と共に形成される不可視トナー像の画質を向上することを目的とする。
【課題を解決するための手段】
【０００６】
請求項１に記載の画像形成装置は、トナー像形成媒体の移動方向に沿って配列された複数のトナー像形成手段によって、可視光下で可視化される可視トナー像と、可視光下で不可視且つ可視光以外の特定波長光下で可視化される不可視トナー像が、前記トナー像形成媒体に転写される画像形成装置であって、複数の前記トナー像形成手段は、前記トナー像形成媒体に、前記不可視トナー像を形成した後に前記可視トナー像を形成することを特徴とする。
【０００７】
請求項１に記載の画像形成装置では、複数のトナー像形成手段が、感光体、中間転写体、記録用紙等のトナー像形成媒体の移動方向に沿って配列されており、この複数のトナー像形成手段によって、可視光下で可視化される可視トナー像と、可視光下で不可視且つ可視光以外の特定波長光下で可視化される不可視トナー像が、トナー像形成媒体に形成される。
【０００８】
ここで、不可視トナー像の所望の位置からの飛散量が、トナー像形成媒体に先に担持されているトナー像の電荷量の大きさに比例して増加することが後述する実験で確認されている。
【０００９】
そこで、本発明では、複数のトナー像形成手段によって、まず、不可視トナー像をトナー像形成媒体に形成し、その後で、可視トナー像をトナー像形成媒体に形成する。これによって、不可視トナー像をトナー像形成媒体に形成する際に不可視トナー像が所望の位置から飛散することを抑制できる。従って、不可視トナー像の画質を向上できる。
【００１０】
請求項２に記載の画像形成装置は、請求項１に記載の画像形成装置であって、複数の前記トナー像形成手段は、前記トナー像形成媒体に、前記不可視トナー像を形成した上に前記可視トナー像を重ねて形成することを特徴とする。
【００１１】
請求項２に記載の画像形成装置では、複数のトナー像形成手段によって、まず、不可視トナー像がトナー像形成媒体に形成され、不可視トナー像の上に可視トナー像が形成される。これによって、高画質な不可視トナー像を可視トナー像に重ねて形成することが可能となる。従って、可視トナー像及び不可視トナー像の形成範囲を広く取ることができ、トナー像形成媒体上に書き込むことができる情報量が増加する。
【００１２】
請求項３に記載の画像形成装置は、請求項１又は２に記載の画像形成装置であって、前記不可視トナー像を前記トナー像形成媒体に形成するトナー像形成手段が、前記可視トナー像を前記トナー像形成媒体に形成するトナー像形成手段より、前記トナー像形成媒体の回転方向の上流側に配設されたことを特徴とする。
【００１３】
請求項３に記載の画像形成装置では、不可視トナー像をトナー像形成媒体に形成するトナー像形成手段が、可視トナー像をトナー像形成媒体に形成するトナー像形成手段よりも、トナー像形成媒体の移動方向の上流側に配設されている。このため、トナー像形成媒体には、まず、不可視トナー像が形成され、その後で、可視トナー像が形成される。これによって、不可視トナー像をトナー像形成媒体に形成する際に、不可視トナー像が所望の位置から飛散することを抑制でき、不可視トナー像の画質を向上できる。
【００１４】
請求項４に記載の画像形成装置は、請求項１乃至３の何れか１項に記載の画像形成装置であって、前記トナー像形成手段が、前記可視トナー像又は前記不可視トナー像を担持して前記トナー像形成媒体に転写する像担持体を有することを特徴とする。
【００１５】
請求項４に記載の画像形成装置では、可視トナー像及び不可視トナー像が、像担持体に担持されてトナー像形成媒体に転写される。
【００１６】
ここで、像担持体とトナー像形成媒体との間でトナー像の転写が行われる場合の不可視トナー像の転写効率が、トナー像形成媒体に先に転写されている可視トナー像の厚みに比例して低下することが、後述する実験で確認されている。
【００１７】
そこで、本発明では、不可視トナー像を始めに像担持体からトナー像形成媒体に転写し、その後、可視トナー像を像担持体からトナー像形成媒体に転写する。これによって、像担持体とトナー像形成媒体との間での不可視トナー像の転写不良を抑制でき、不可視トナー像の画質を向上できる。
【００１８】
請求項５に記載の画像形成装置は、請求項１乃至４の何れか１項に記載の画像形成装置であって、前記不可視トナー像が赤外線吸収性を有し、前記可視トナー像が赤外線吸収性を有しないことを特徴とする。
【００１９】
請求項５に記載の画像形成装置では、不可視トナー像が赤外線吸収性を有し、可視トナー像が赤外線吸収性を有しない。また、不可視トナー像が精密に形成されているので、記録媒体にセキュリティ情報や座標情報等が書き込まれた不可視トナー像を形成し、この不可視トナー像を赤外線センサで読み取って、セキュリティ情報や座標情報等を最情報化することが可能である。
【発明の効果】
【００２０】
本発明は上記構成にしたので、記録媒体に可視トナー像と共に形成される不可視トナー像の画質を向上できる。
【発明を実施するための最良の形態】
【００２１】
以下に図面を参照しながら本発明の実施形態について説明する。
【００２２】
図１に示すように、プリンタ１０は、赤外線吸収材料を含まないイエロー（Ｙ）、マゼンタ（Ｍ）、シアン（Ｃ）、ブラック（Ｋ）のトナーでフルカラープリントを行うと共に、赤外線吸収材料を含む透明トナー（以下、ｉトナーという）で不可視の情報を印字するフルカラーレーザビームプリンタである。また、プリンタ１０は、ｉ、Ｙ、Ｍ、Ｃ、Ｋのトナーを用いるプリントエンジン１２ｉ、１２Ｙ、１２Ｍ、１２Ｃ、１２Ｋ（以下、１２ｉ〜Ｋと言う）が、中間転写ベルト１４の下側の平坦面１４Ａに沿って配列された所謂タンデム方式のプリンタで、中間転写ベルト１４が１周する間にプリントエンジン１２ｉ〜Ｋが、中間転写ベルト１４上にｉ〜Ｋのトナー像を順次転写して重ね合わせ、フルカラーのトナー像を形成する。
【００２３】
中間転写ベルト１４はロール１６、１８によって水平方向に張架され、図中矢印Ａ方向（図中時計回り方向）に回転される。ロール１６は、プリントエンジン１２ｉ〜Ｋよりも矢印Ａ方向の下流側に配設され、このロール１６には中間転写ベルト１４の外周側に設けられた二次転写ロール１７が中間転写ベルト１４を間において当接しており、ロール１６と二次転写ロール１７とで二次転写ニップＮ２が形成されている。この二次転写ニップＮ２に、給紙カセット１３から記録用紙Ｐが給紙され、それと同時に二次転写ロール１７に転写バイアスが印加されることで、中間転写ベルト１４に形成されたフルカラーのトナー像が記録用紙Ｐに転写される。
【００２４】
そして、二次転写ニップＮ２の搬送方向下流側には定着装置２０が配設されており、記録用紙Ｐが定着装置２０を通過する際に、記録用紙Ｐ上のトナーが加熱加圧されて記録用紙Ｐに定着される。そして、記録用紙Ｐは、プリンタ１０から排紙される。
【００２５】
次に、プリントエンジン１２ｉ〜Ｋについて説明する。プリントエンジン１２ｉ〜Ｋは、感光体２２と、感光体２２の周囲に感光体２２の回転方向（図中矢印Ｂ方向）に順に配設されたクリーニングロール２４、帯電ロール２６、露光ヘッド２８、現像器３０を備える。感光体２２は、中間転写ベルト１４の平坦面１４Ａの外周側に当接し、この感光体２２には中間転写ベルト１４の内周側に設けられた一次転写ロール３２が、中間転写ベルト１４を間において当接しており、感光体２２と一次転写ロール３２とで一次転写ニップＮ１が形成されている。
【００２６】
このプリントエンジン１２ｉ〜Ｋでは、まず、感光体２２に接触して回転する帯電ロール２６に直流電圧と交番電圧が重畳した帯電バイアスが印加されて感光体２２が一様に帯電される。次に、ＬＥＤアレイ等の露光ヘッド２８が、感光体２２の帯電面を露光して画像データに応じた静電潜像を形成する。
【００２７】
次に、現像器３０の現像ロール３０Ａに現像バイアスが印加されて、現像ロール３０Ａに付着したトナーが感光体２２の静電潜像上に移動することで、感光体２２の静電潜像が現像される。そして、一次転写ロール３２に転写バイアスが印加されて、一次転写ニップＮ１で感光体２２から中間転写ベルト１４へトナー像が転写される。最後に、クリーニングロール２４が、中間転写ベルト１４に転写されずに感光体２２に残留したトナーを静電吸着して感光体２２の表面を清掃する。
【００２８】
ところで、本実施形態のプリンタ１０では、図２（Ａ）に示すように、記録用紙Ｐのカラートナー像Ｐ０上に重ねてｉトナーによる不可視トナー像Ｐｉが形成される。本実施形態で用いられているｉトナーは、図３のグラフに示すように、波長が７００ｎｍ未満の可視光下では分光反射率が約８０％と記録用紙Ｐの分光反射率と殆ど差が無く、不可視だが、波長が８００ｎｍ以上の不可視光下では分光反射率が約５０％になり、可視化される。一方、ＹＭＣＫのトナーは、波長が７００ｎｍ未満の可視光下では分光反射率が約１０％と記録用紙Ｐの分光反射率との差が大きいので、可視化されるが、波長が８００ｎｍ以上の不可視光下では分光反射率が約８０％と記録用紙Ｐの分光反射率と殆ど差が無くなり、不可視になる。
【００２９】
図２（Ｂ）には、ＣＣＤ等の赤外線センサによって認識された不可視トナー像Ｐｉを示している。不可視トナー像Ｐｉでは、異なる傾きを有する２種類の微小ライン単位Ｐｉｘが配列された２次元パターンが形成されており、一方が「０」、他方が「１」の情報を表している。
【００３０】
また、図２（Ｃ）には、不可視トナー像Ｐｉを機械読取りによってデジタル情報に複合変換してビット情報イメージＰＩとして捉えた図を示している。このように、不可視トナー像Ｐｉは、赤外線センサによって２次元パターンとして読取られ、これがデジタル情報として複合変換される。
【００３１】
ここで、不可視トナー像Ｐｉを赤外線センサによって読取るためには、不可視トナー像Ｐｉを精密に形成する必要があるが、本実施形態のプリント１０では、不可視トナー像Ｐｉをカラートナー像Ｐ０よりも精密に形成することが可能となっている。以下、この点について説明する。
【００３２】
図１に示すように、プリンタ１０では、プリントエンジン１２ｉ〜Ｋが、中間転写ベルト１４の回転方向へ、１２ｉ→１２Ｙ→１２Ｍ→１２Ｃ→１２Ｋの順で配列されており、感光体２２から中間転写ベルト１４へのトナーの一次転写は、ｉ→Ｙ→Ｍ→Ｃ→Ｋの順で行われる。
【００３３】
図４に示すように、このプリンタ１０によってライン状の不可視トナー像Ｐｉを形成し、赤外線センサによって可視化したところ、図５の表に示すように、ｉトナーのライン像からの飛散は見られなかった。一方、比較のために、プリントエンジン１２ｉ〜Ｋの位置を入換えて同様にライン状の不可視トナー像Ｐｉを形成し、赤外線センサによって可視化する実験を行ったところ、ｉトナーのライン像からの飛散は悪化した。なお、ｉトナーの飛散状態のグレードを、ｉトナーのライン像からの飛散距離Ｄ（図４参照）に応じて、グレード０はｉトナーの飛散が確認できない状態、グレード１は１ｍｍ以下、グレード２は２ｍｍ以下、グレード３は３ｍｍ以下、グレード４は４ｍｍ以上と定めた。即ち、本実施形態のプリンタ１０では、ｉトナーの飛散状態のグレードはグレード０である。
【００３４】
一方、図５の表に示す比較例１では、プリントエンジン１２ｉ〜Ｋを、中間転写ベルト１４の回転方向へ１２Ｙ→１２ｉ→１２Ｍ→１２Ｃ→１２Ｋの順で配列し、感光体２２から中間転写ベルト１４へのトナーの一次転写の順序を、Ｙ→ｉ→Ｍ→Ｃ→Ｋとし、ｉトナー層を中間転写ベルト１４の下から２層目に形成したところ、ｉトナーの飛散状態のグレードはグレード１に悪化した。また、図５の表に示す比較例２では、プリントエンジン１２ｉ〜Ｋを、中間転写ベルト１４の回転方向へ１２Ｙ→１２Ｍ→１２ｉ→１２Ｃ→１２Ｋの順で配列し、感光体２２から中間転写ベルト１４へのトナーの一次転写の順序を、Ｙ→Ｍ→ｉ→Ｃ→Ｋとし、ｉトナー層を中間転写ベルト１４の下から３層目に形成したところ、ｉトナーの飛散状態のグレードはグレード２に悪化した。
【００３５】
また、図５の表に示す比較例３では、プリントエンジン１２ｉ〜Ｋを、中間転写ベルト１４の回転方向へ１２Ｙ→１２Ｍ→１２Ｃ→１２ｉ→１２Ｋの順で配列し、感光体２２から中間転写ベルト１４へのトナーの一次転写の順序を、Ｙ→Ｍ→Ｃ→ｉ→Ｋとし、ｉトナー層を中間転写ベルト１４の下から４層目に形成したところ、ｉトナーの飛散状態のグレードはグレード４まで悪化した。また、図５の表に示す比較例４では、プリントエンジン１２ｉ〜Ｋを、中間転写ベルト１４の回転方向へ１２Ｙ→１２Ｍ→１２Ｃ→１２Ｋ→１２ｉの順で配列し、感光体２２から中間転写ベルト１４へのトナーの一次転写の順序を、Ｙ→Ｍ→Ｃ→Ｋ→ｉとし、ｉトナーを中間転写ベルト１４の下から５層目に形成したところ、ｉトナーの飛散状態のグレードはグレード４まで悪化した。さらに、図５の表に示す比較例５では、プリントエンジン１２ｉ〜Ｋを、中間転写ベルト１４の回転方向へ１２Ｙ→１２ｉ→１２Ｍ→１２Ｃ→１２Ｋの順で配列し、感光体２２から中間転写ベルト１４へのトナーの一次転写の順序を、Ｙ→Ｍ→Ｃ→Ｋ→Ｙ→ｉとし、ｉトナー層を中間転写ベルト１４の下から６層目に形成したところ、ｉトナーの飛散状態のグレードはグレード４まで悪化した。
【００３６】
即ち、ｉトナーを中間転写ベルト１４へ始めに転写することで、中間転写ベルト１４上の最下層をｉトナーの層とした場合に、不可視トナー像Ｐｉの形成状態が良好になり、ｉトナーを中間転写ベルト１４へ転写する順番が２番目、３番目と遅くなり、ｉトナー層が２層目、３層目と上がってくるにつれて、不可視トナー像Ｐｉの形成状態が悪化することが確認された。
【００３７】
本発明者は、この現象は、既に中間転写ベルト１４上に転写されｉトナーと同極性に帯電された他色のトナーと、ｉトナーとの電気的な反発によって発生するが故に、中間転写ベルト１４上のトナーの電荷量Ｑと関係すると考え、単位面積当りのトナーの電荷量Ｑ／Ａ（ｃ／ｍ2）とｉトナーの飛散量Ｄ（μｍ2／μｍ）を測定したところ、これらの関係は図６のグラフに示すようになった。図６のグラフから明らかなように、ｉトナーの飛散量Ｄは、トナーの電荷量Ｑに比例して増大するので、ｉトナーの不可視トナー像Ｐｉをより精密に形成するためには、ｉトナーの転写順序をより速くすることが望ましく、１番目が最適である。
【００３８】
また、図２に示すように、プリンタ１０によって２次元パターンの不可視トナー像Ｐｉを形成した際のトナー転写効率（＝１００×（中間転写ベルト１４上のｉトナー量）／（感光体２２上のｉトナー量））（％）を測定したところ、９８％程度となった。一方、比較例１〜５のプリンタによって２次元パターンの不可視トナー像Ｐｉを形成した際のトナー転写効率はそれぞれ、９５％、８８％、８０％、６５％、５０％と低下した。即ち、中間転写ベルト１４のトナーの層厚が厚くなるにつれてｉトナーに作用する転写バイアスが弱くなり、トナー転写効率が低下するので、ｉトナーの不可視トナー像Ｐｉをより精密に形成するためには、ｉトナーの転写順序をより速くすることが望ましく、１番目が最適である。
【００３９】
以上、説明したように、ｉトナーの中間転写ベルト１４への転写順序を１番目にすることで、ｉトナーの飛散を抑制でき、また、転写効率を向上できるので、不可視トナー像Ｐｉをより精密に形成できる。これによって、カラートナー像Ｐ０と重ねて形成した不可視トナー像Ｐｉを、赤外線センサによって読取り最情報化することが可能になる。従って、記録用紙ＰにカラーＰ０と不可視トナー像Ｐｉを重ねて形成することができ、カラートナー像Ｐ０と不可視トナー像Ｐｉの形成範囲を広く取ることができるので、記録用紙Ｐ上に書き込むことができる情報量が増加する。
【００４０】
また、本実施形態では、感光体２２に当接したクリーニングロール２４に、中間転写ベルト１４に転写されずに残留した残留トナー、中間転写ベルト１４から感光体２２にオフセットされたリトランスファートナー（リトラトナー）を一時的に蓄積させ、そして、非画像形成時にクリーニングロール２４に逆バイアスの電圧を印加してクリーニングロール２４から感光体２２へトナーを放出させて現像器３０、又は中間転写ベルト１４上のトナーを回収するクリーニング装置へトナーを回収させる、というシステムが採用されている。
【００４１】
このため、上流側のトナーが下流側の現像器３０へ流入することがあるが、本実施形態では、ｉトナーのプリントエンジン１２ｉが、他のプリントエンジン１２Ｙ〜Ｋよりも上流側に配設されているので、ｉトナーが充填された現像器３０へ他色のトナーが流入することがない。従って、情報の欠落や間違いの無い正確な不可視トナー像Ｐｉを形成できる。
【００４２】
なお、本実施形態では、各プリントエンジン１２ｉ〜Ｋに感光体２２が備えられ、各プリントエンジン１２ｉ〜Ｋの感光体２２から中間転写ベルト１４に順次トナー像が転写されて重ね合わされるプリンタ１０を例に取って本発明を説明したが、図７に示すように、感光体を備えない各プリントエンジン１０２ｉ〜Ｋが、感光体ベルト１０４に面して配設され、各プリントエンジン１０２ｉ〜Ｋが感光体ベルト１０４にトナー像を順次形成するプリンタ１００においても、プリントエンジン１０２ｉを、プリントエンジン１０２Ｙ〜Ｋより感光体ベルト１０４の回転方向の上流側に配設し、ｉトナー像を感光体ベルト１０４に１番目に形成することで、同様の効果が得られる。また、図８に示すように、単一の感光体２０２と中間転写ベルト２０４を複数周回転させて１週毎に感光体２０２から中間転写ベルト２０４へ各色のトナー像を転写する所謂ロータリ方式のプリンタ２００においても、プリントエンジン２０６ｉ〜Ｋによって、ｉトナー像を中間転写ベルト２０４に１番目に形成することで、同様の効果が得られる。
【００４３】
また、本実施形態では、各プリントエンジン１２ｉ〜Ｋからトナー像形成媒体としての中間転写ベルト１４に順次トナー像が転写されて重ね合わされるプリンタ１０を例に取って本発明を説明したが、各プリントエンジン１２ｉ〜Ｋからトナー像形成媒体としての記録用紙へ直接トナー像を転写するプリンタにおいても、本発明を適用することで同様の効果が得られる。
【００４４】
さらに、本実施形態では、カラートナー像Ｐ０の上に不可視トナー像Ｐｉを重ねて形成したが、カラートナー像Ｐ０に隣接した領域に不可視トナー像Ｐｉを形成する場合でも、本発明を適用することで、ｉトナーの飛散を抑制でき、不可視トナー像Ｐｉの画質を向上できる。
【図面の簡単な説明】
【００４５】
【図１】本実施形態のプリンタの概略を示す図である。
【図２】（Ａ）〜（Ｃ）は、本実施形態のプリンタによって記録用紙に形成される画像を示す図である。
【図３】本実施形態のプリンタで用いられるｉトナーとＹＭＣＫトナーの分光反射率を示すグラフである。
【図４】ｉトナーの飛散量を測定する実験のためにｉトナーで形成した不可視トナー像を示す図である。
【図５】ｉトナーの飛散量とｉトナーの転写効率の測定結果をまとめた表である。
【図６】トナーの電荷量とｉトナーの飛散量との関係を示すグラフである。
【図７】本実施形態のプリンタの変形例の概略を示す図である。
【図８】本実施形態のプリンタの変形例の概略を示す図である。
【符号の説明】
【００４６】
１０      プリンタ（画像形成装置）
１２ｉ    プリントエンジン（トナー像形成手段）
１２Ｙ    プリントエンジン（トナー像形成手段）
１２Ｍ    プリントエンジン（トナー像形成手段）
１２Ｃ    プリントエンジン（トナー像形成手段）
１２Ｋ    プリントエンジン（トナー像形成手段）
１４      中間転写ベルト（トナー像形成媒体）
２２      感光体（第１像担持体）
１００    プリンタ（画像形成装置）
１０２ｉ  プリントエンジン（トナー像形成手段）
１０２Ｙ  プリントエンジン（トナー像形成手段）
１０２Ｍ  プリントエンジン（トナー像形成手段）
１０２Ｃ  プリントエンジン（トナー像形成手段）
１０２Ｋ  プリントエンジン（トナー像形成手段）
１０４    中間転写ベルト（トナー像形成媒体）
２００    プリンタ（画像形成装置）
２０２    感光体（像担持体）
２０４    中間転写体（トナー像形成媒体）
２０６ｉ  プリントエンジン（トナー像形成手段）
２０６Ｙ  プリントエンジン（トナー像形成手段）
２０６Ｍ  プリントエンジン（トナー像形成手段）
２０６Ｃ  プリントエンジン（トナー像形成手段）
２０６Ｋ  プリントエンジン（トナー像形成手段）
Ｐ０      カラー像（可視トナー像）
Ｐｉ      不可視トナー像（不可視トナー像）
【図１】
2006267707.tif 000003
【図２】
2006267707.tif 000004
【図３】
2006267707.tif 000005
【図４】
2006267707.tif 000006
【図５】
2006267707.tif 000007
【図６】
2006267707.tif 000008
【図７】
2006267707.tif 000009
【図８】
2006267707.tif 000010